(57)【要約】【課題】ヘッドホンの装着部材を柔軟にすることで、従来の測定では分からなかったヘッドホン自身の機械的な振動の影響を含めた使用時に近い特性を得ることができ、ヘッドホンの装着部にテーパを付けることで種々のサイズのイヤーチップに対応できるインサート型ヘッドホンの測定用装着部材を提供する。【解決手段】インサート型ヘッドホンの測定用装着部材は、インサート型ヘッドホン２の特性を測定するために、インサート型ヘッドホン２とマイクロホン３との音響的な結合を行うものであって、エラストマ製の測定用装着部材１に、前記インサート型ヘッドホン２のイヤーチップ２ａの外径に適合し、奥にいくにしたがって径が小さくなるテーパを有する音響管部１ａを設けるとともに、この音響管部１ａに連通し、前記マイクロホン３を装着する開口部１ｂを設けたことを特徴とする。【選択図】      図１
2013143612.tif 000002
【特許請求の範囲】
【請求項１】
インサート型ヘッドホン（２）の特性を測定するために、インサート型ヘッドホン（２）とマイクロホン（３）との音響的な結合を行う測定用装着部材（１）であって、
エラストマ製の測定用装着部材（１）に、前記インサート型ヘッドホン（２）のイヤーチップ（２ａ）の外径に適合し、奥にいくにしたがって内径が小さくなるテーパを有する音響管部（１ａ）を設けるとともに、この音響管部（１ａ）に連通し、前記マイクロホン（３）を装着する開口部（１ｂ）を設けたことを特徴とするインサート型ヘッドホンの測定用装着部材。
【請求項２】
前記音響管部（１ａ）におけるインサート型ヘッドホン（２）の装着部の開口幅は最狭部で７ｍｍ以上、好ましくは１０ｍｍ以上であり、前記音響管部（１ａ）の奥部の径は１０ｍｍ以下、好ましくは８ｍｍ以下であることを特徴とする請求項１に記載のインサート型ヘッドホンの測定用装着部材。
【請求項３】
前記エラストマは、音の周波数が２０〜２０ＫＨｚの可聴帯域において人の皮膚の弾性率に近く、１０Ｋ〜１０ＭＰａの範囲内、好ましくは５０Ｋ〜１ＭＰａの範囲内であることを特徴とする請求項１または２記載のインサート型ヘッドホンの測定用装着部材。
【請求項４】
前記測定用装着部材（１）は、２種類以上の異なるエラストマ、もしくはエラストマと硬質材料とを組み合わせてなることを特徴とする請求項１乃至３いずれか１項記載のインサート型ヘッドホンの測定用装着部材。
【請求項５】
前記音響管部（１ａ）は、軸対称性、鏡像対称性の少なくとも一方を有さない形状であることを特徴とする請求項１乃至４いずれか１項記載のインサート型ヘッドホンの測定用装着部材。
【発明の詳細な説明】
【技術分野】
【０００１】
本発明は、放音部を外耳道に挿入して用いるインサート型ヘッドホンの特性を測定するために、ヘッドホンとマイクロホンとの音響的な結合を行う、インサート型ヘッドホンの測定用装着部材に関する。
【背景技術】
【０００２】
従来、ヘッドホンの特性を測定する測定装置については、例えば特許文献１及び２に記載されている。特許文献１は、難聴者などの用いる補聴器を校正する際のイヤホン特性を計測する測定装置であり、特許文献２は人耳への装着時に生じる音響リークを考慮し、人耳で受聴している特性に一致する特性を測定できるようにした測定装置である。
【０００３】
ヘッドホンを使用する際は、発音体と耳との間に音響的な結合が生成されるため、上記特許文献１及び２に記載されているように、ヘッドホンの特性を測定する際にも同様に音響的な結合を有する測定用装着部材、いわゆるカプラを用いた測定系で行う必要がある。ヘッドホンには種々の形態があるため、カプラもヘッドホンの形態に応じて様々なタイプが存在する。
【０００４】
外耳道に挿入するインサート型ヘッドホンの測定では、一般的に耳の音響インピーダンスを模した標準規格である“IEC60318-4 Annex A”に見られるイヤーシミュレータ（ear simulator）と、例えばブリュエル・ケアー社製のタイプ4157、DB2012のような外耳シミュレータ（external ear simulator）とを組み合わせたカプラに装着して行う。
【先行技術文献】
【特許文献】
【０００５】
【特許文献１】特開昭５９−１６５５９８号公報
【特許文献２】特開昭６３−２２６２２０号公報
【発明の概要】
【発明が解決しようとする課題】
【０００６】
しかしながら、上記外耳シミュレータのカプラは金属製であり、実耳に比べて測定帯域における機械インピーダンスが大きい。また、インサート型ヘッドホンでは、装着時に外耳道を密閉するためにゴムやスポンジ状のイヤーチップを介するが、これらは外耳道に比べて十分機械インピーダンスが低くはないため、装着対象が実耳か外耳シミュレータかで振動状態が変化してしまう。
【０００７】
さらに、電気音響変換器として測定を行う場合にもハウジングの振動の影響は無視することができない。特に、外部から、または外部への伝播を考慮する必要があるもの、例えばノイズキャンセリングヘッドホンではその影響が大きい。
【０００８】
その他、例えば標準規格“IEC 60268-7 Annex A”のような、柔軟な人工耳介を用いて測定を行う例も見られるが、人工耳介はヘッドホンの測定には適した形状ではない。しかも、耳道形状が直管であるため、取り付けが不自然になったり困難であったりするといった問題がある。
【０００９】
上述したように、ヘッドホンの特性の測定では機械インピーダンスの影響が存在し、特にゴムやスポンジなどの軟質材料を外耳道に直接固定するインサート型ではその影響が大きい。また、従来は、機械インピーダンスの影響を考慮していないために金属製の部品を用いている。さらに、一部では人工耳介を用いる例も見られるが、耳道形状が直管であるため、ヘッドホンに対する適合性が良くない。
【００１０】
本発明は、上記のことに鑑み提案されたもので、その目的とするところは、ヘッドホンの装着部材を柔軟にすることで、従来の測定では分からなかったヘッドホン自身の機械的な振動の影響を含めた使用時に近い特性を得ることができ、ヘッドホンの装着部にテーパを付けることで種々のサイズのイヤーチップに対応できるインサート型ヘッドホンの測定用装着部材を提供することにある。
【課題を解決するための手段】
【００１１】
上記課題を解決するため、請求項１に係る本発明のインサート型ヘッドホンの測定用装着部材は、インサート型ヘッドホン２の特性を測定するために、インサート型ヘッドホン２とマイクロホン３との音響的な結合を行う測定用装着部材１であって、エラストマ製の測定用装着部材１に、前記インサート型ヘッドホン２のイヤーチップ２ａの外径に適合し、奥にいくにしたがって内径が小さくなるテーパを有する音響管部１ａを設けるとともに、この音響管部１ａに連通し、前記マイクロホン３を装着する開口部１ｂを設けたことを特徴とする。
【００１２】
また、請求項２に係る発明は、請求項１記載のインサート型ヘッドホンの測定用装着部材において、前記音響管部１ａにおけるインサート型ヘッドホン２の装着部の開口幅は最狭部で７ｍｍ以上、好ましくは１０ｍｍ以上であり、前記音響管部１ａの奥部の径は１０ｍｍ以下、好ましくは８ｍｍ以下であることを特徴とする。
【００１３】
さらに、請求項３に係る発明は、請求項１または２記載のインサート型ヘッドホンの測定用装着部材において、前記エラストマは、音の周波数が２０〜２０ＫＨｚの可聴帯域において人の皮膚の弾性率に近く、１０Ｋ〜１０ＭＰａの範囲内、好ましくは５０Ｋ〜１ＭＰａの範囲内であることを特徴とする。
【００１４】
さらにまた、請求項４に係る発明は、請求項１乃至３いずれか１項記載のインサート型ヘッドホンの測定用装着部材において、前記測定用装着部材１は、２種類以上の異なるエラストマ、もしくはエラストマと硬質材料とを組み合わせてなることを特徴とする。
【００１５】
請求項５に係る発明は、請求項１乃至４いずれか１項記載のインサート型ヘッドホンの測定用装着部材において、前記音響管部１ａは、軸対称性、鏡像対称性の少なくとも一方を有さない形状であることを特徴とする
【発明の効果】
【００１６】
請求項１記載の本発明では、測定用装着部材をエラストマ製にしてヘッドホンの装着部を柔軟にすることで、従来の測定では分からなかったヘッドホン自身の機械的な振動の影響を含めた使用時に近い特性を得ることができる。また、音響管部にテーパを付けることで種々のサイズのイヤーチップに対応できる。
【００１７】
また、請求項２記載の本発明では、音響管部におけるインサート型ヘッドホンの装着部の開口幅は最狭部で７ｍｍ以上、好ましくは１０ｍｍ以上であり、前記音響管部の奥部の径は１０ｍｍ以下、好ましくは８ｍｍ以下にすることで実耳に近い状態で測定でき、かつ種々のサイズのイヤーチップに対応できる。
【００１８】
さらに、請求項３記載の本発明では、人の皮膚の弾性率に近い状態で測定できる。
【００１９】
さらにまた、請求項４記載の本発明では、人体の骨や軟骨の影響も考慮して測定できる。
【００２０】
請求項５記載の本発明では、実頭の複雑な形状の影響も考慮して測定できる。
【図面の簡単な説明】
【００２１】
【図１】本発明の実施例に係るインサート型ヘッドホンの測定用装着部材を用いて、ヘッドホンとマイクロホンを音響的に結合した状態を示す断面図である。
【図２】本発明の実施例に係るインサート型ヘッドホンの測定用装着部材と、従来のカプラを用いたときの周波数特性を比較して示す特性図である。
【図３】図１に示したインサート型ヘッドホンの測定用装着部材の第１の変形例を示す断面図である。
【図４】図１に示したインサート型ヘッドホンの測定用装着部材の第２の変形例を示す断面図である。
【実施例】
【００２２】
以下、本発明の実施例を図面に基づいて説明する。
【００２３】
図１は、本発明の実施例に係るインサート型ヘッドホンの測定用装着部材（カプラ）を用いて、ヘッドホンとマイクロホンを音響的に結合した状態を示す断面図である。図１において、１はエラストマ製の測定用装着部材で、この測定用装着部材１は、一端側にインサート型ヘッドホン２のイヤーチップ２ａの外径に適合する、奥にいくにしたがって徐々に内径が小さくなるテーパを有する音響管部１ａを有している。この測定用装着部材１の他端側には、上記音響管部１ａに連通し、マイクロホン３を装着する開口部１ｂを有し、この開口部１ｂにマイクロホン３の集音部３ａの上面が音響管部１ａの底面に位置するように装着されて測定が行われる。
【００２４】
上記測定用装着部材１における音響管部１ａの開口部の内径は、最狭部で７ｍｍ以上、好ましくは１０ｍｍ以上であり、この音響管部１ａの奥部の内径は１０ｍｍ以下、好ましくは８ｍｍ以下である。また、上記測定用装着部材１のエラストマは、音の周波数が２０〜２０ＫＨｚの可聴帯域において人の皮膚の弾性率に近く、１０Ｋ〜１０ＭＰａの範囲内、好ましくは５０Ｋ〜１ＭＰａの範囲内である。
【００２５】
図２は、本発明の実施例に係るインサート型ヘッドホンの測定用装着部材と、従来のカプラを用いたときの周波数特性を比較して示している。図２において、実線は従来の測定結果、破線は本発明の実施例に係る測定用装着部材を用いた測定結果を示している。１０００Ｈｚ以上の周波数ではほぼ同じ測定結果であるが、１０００Ｈｚ以下、特に２００Ｈｚ以下になると、従来のカプラを用いた場合は機械的な振動の影響を受けて音圧レベルが低下することがわかる。これに対し、本発明の測定用装着部材１では１０００Ｈｚ以下の音圧レベルの変動が小さく、２００Ｈｚ以下では従来に比べて十分に高い音圧レベルとなっている。
【００２６】
このように、ヘッドホン２の装着部材を柔軟にすることで、従来の測定では分からなかったヘッドホン２自身の機械的な振動の影響を含めた使用時に近い特性を得ることができる。また、音響管部１ａが奥に行くにしたがって内径が狭くなるテーパを付けたことで種々のサイズのイヤーチップ２ａを装着でき、汎用性が高い。
【００２７】
従って、本発明によれば、ヘッドホン自身の機械的な振動の影響を含めた使用時に近い特性を得ることができ、かつ種々のサイズのイヤーチップに対応できるインサート型ヘッドホンの測定用装着部材を提供できる。
【００２８】
以上実施例を用いて本発明の説明を行ったが、本発明は上記実施例に限定されるものではなく、実施段階ではその要旨を逸脱しない範囲で種々に変形することが可能である。例えば、上記実施例では、測定用装着部材１を人の皮膚の弾性率に近い単一材料のエラストマで形成する場合を例に取って説明したが、図３に示すように２種類以上の異なるエラストマ、もしくはエラストマと硬質材料を組み合わせても良い。
【００２９】
図３は、実耳の骨や軟骨の存在による影響も考慮し、測定用装着部材１の内側部１−１に周波数が２０〜２０ＫＨｚの可聴帯域において人の皮膚の弾性率に近い１０Ｋ〜１０ＭＰａの範囲内（好ましくは５０Ｋ〜１ＭＰａの範囲内）のエラストマを用い、外側部１−２に２０〜２０ＫＨｚの可聴帯域において人体の骨や軟骨の弾性率に近い１ＭＰａ以上（好ましくは１０ＭＰａ以上）のエラストマ、あるいはプラスチック、金属などの硬質材料を組み合わせたものである。
【００３０】
このような構成によれば、使用時により近い特性を得ることができる。また、実頭の複雑な形状を考慮して実耳に近い軸対称性、鏡像対称性の少なくとも一方を有さない形状、例えば音響管部がクランク状に曲がっている形状にすることにより、さらに使用時に近い特性を得ることができる。
【００３１】
図４は、測定用装着部材１とマイクロホン３との間に、スペーサ４を介在させて、種々のサイズのマイクロホン３を装着可能に構成したものである。すなわち、マイクロホン３の外径に対応する複数種類のスペーサを予め用意しておくことで、異なるサイズのマイクロホン３を装着できる。このスペーサ４には、エラストマ、プラスチック、金属などを用いることができる。
【００３２】
従って、ヘッドホン２だけでなく、マイクロホン３も種々のサイズに対応でき、測定用装着部材１を汎用化できる。
【符号の説明】
【００３３】
１    測定用装着部材（カプラ）
１−１    測定用装着部材の内側部
１−２    測定用装着部材の外側部
１ａ    音響管部
１ｂ    開口部
２    インサート型ヘッドホン（ヘッドホン）
２ａ    イヤーチップ
３    マイクロホン
３ａ    集音部
４    スペーサ
【図１】
2013143612.tif 000003
【図２】
2013143612.tif 000004
【図３】
2013143612.tif 000005
【図４】
2013143612.tif 000006